(57)【特許請求の範囲】
【請求項１】
第１コネクタと、
嵌合方向に沿って前記第１コネクタに嵌合する第２コネクタと
を備え、
前記第１コネクタは、前記嵌合方向に交差する配列方向に配列され且つそれぞれ前記嵌合方向に延びる複数の第１雌コンタクトと、前記配列方向に配列され且つそれぞれ前記嵌合方向に沿って前記複数の第１雌コンタクトよりも前記嵌合方向の前方にまで延びる複数の第１雄コンタクトとを有し、
それぞれの前記第１雌コンタクトは、固定部と、前記固定部に接続されて前記嵌合方向の前方に延びるバネ接点部を有し、
前記複数の第１雌コンタクトと前記複数の第１雄コンタクトは、交互に前記配列方向に配列され、
互いに隣接する前記第１雌コンタクトの前記固定部と前記第１雄コンタクトの間に第１絶縁部が配置され、
互いに隣接する前記第１雌コンタクトの前記バネ接点部と前記第１雄コンタクトの間に前記第１絶縁部は存在せず、
前記第２コネクタは、前記配列方向に配列され且つそれぞれ前記嵌合方向に延びると共に嵌合時に前記第１コネクタの対応する前記第１雄コンタクトに接触する複数の第２雌コンタクトと、前記配列方向に配列され且つそれぞれ前記嵌合方向に沿って前記複数の第２雌コンタクトよりも前記嵌合方向の前方にまで延びると共に嵌合時に前記第１コネクタの対応する前記第１雌コンタクトに接触する複数の第２雄コンタクトとを有し、
それぞれの前記第２雌コンタクトは、固定部と、前記固定部に接続されて前記嵌合方向の前方に延びるバネ接点部を有し、
前記複数の第２雌コンタクトと前記複数の第２雄コンタクトは、交互に前記配列方向に配列され、
互いに隣接する前記第２雌コンタクトの前記固定部と前記第２雄コンタクトの間に第２絶縁部が配置され、
互いに隣接する前記第２雌コンタクトの前記バネ接点部と前記第２雄コンタクトの間に前記第２絶縁部は存在せず、
前記第１コネクタおよび前記第２コネクタの一方は、前記配列方向の両端部にそれぞれ形成され且つ前記嵌合方向の前方に向かって開口する一対の位置合わせ用凹部を有し、
前記第１コネクタおよび前記第２コネクタの他方は、前記配列方向の両端部にそれぞれ形成され且つ前記嵌合方向の前方に向かって突出する一対の位置合わせ用凸部を有し、
前記第１コネクタと前記第２コネクタの嵌合時に、前記一対の位置合わせ用凸部が前記一対の位置合わせ用凹部に嵌り込むことで、前記複数の第１雌コンタクトと前記複数の第２雌コンタクトは、互いに前記嵌合方向に間隔を隔てて離れ、
前記配列方向において、嵌合時の前記第１雌コンタクトの前記バネ接点部および前記第２雌コンタクトの前記バネ接点部の幅をＷ１、前記第１絶縁部および前記第２絶縁部の幅をＷ２、前記第１雄コンタクトおよび前記第２雄コンタクトの幅をＷ３としたとき、互いに隣接する前記第１雌コンタクトと前記第１雄コンタクトの中心間距離および互いに隣接する前記第２雌コンタクトと前記第２雄コンタクトの中心間距離が、Ｗ１／２とＷ２とＷ３／２の和よりも小さく且つＷ１／２とＷ３／２の和よりも大きいことを特徴とするコネクタ。
【請求項２】
前記第１コネクタは、前記複数の第１雌コンタクトと前記複数の第１雄コンタクトが表面上に配置された第１絶縁体シートを有し、
前記第１絶縁部は、互いに隣接する前記第１雌コンタクトと前記第１雄コンタクトの間に露出する部分の前記第１絶縁体シートからなり、
前記第２コネクタは、前記複数の第２雌コンタクトと前記複数の第２雄コンタクトが表面上に配置された第２絶縁体シートを有し、
前記第２絶縁部は、互いに隣接する前記第２雌コンタクトと前記第２雄コンタクトの間に露出する部分の前記第２絶縁体シートからなり、
前記第１絶縁体シートの裏面と前記第２絶縁体シートの裏面が互いに外方を向くように前記第１コネクタと前記第２コネクタが位置した状態で前記嵌合方向に相対的にスライドさせることで嵌合する請求項１に記載のコネクタ。
【請求項３】
前記第１絶縁体シートの表面上における前記第１雄コンタクトの高さは前記第１雌コンタクトの高さよりも大きく、前記第２絶縁体シートの表面上における前記第２雄コンタクトの高さは前記第２雌コンタクトの高さよりも大きい請求項２に記載のコネクタ。
【請求項４】
前記複数の第１雌コンタクトおよび前記複数の第１雄コンタクトは、それぞれ、前記第１絶縁体シートの裏面側に露出する実装部を有し、前記複数の第２雌コンタクトおよび前記複数の第２雄コンタクトは、それぞれ、前記第２絶縁体シートの裏面側に露出する実装部を有する請求項２または３に記載のコネクタ。
【請求項５】
前記一対の位置合わせ用凹部および前記一対の位置合わせ用凸部は、それぞれ、前記第１絶縁体シートまたは前記第２絶縁体シートに平行に張り出す張り出し部を有し、
前記第１コネクタと前記第２コネクタの嵌合時に、前記位置合わせ用凹部の前記張り出し部と前記位置合わせ用凸部の前記張り出し部とが互いに重なり合う請求項２〜４のいずれか一項に記載のコネクタ。
【請求項６】
前記第１コネクタの前記複数の第１雌コンタクトおよび前記複数の第１雄コンタクトと前記第２コネクタの前記複数の第２雌コンタクトおよび前記複数の第２雄コンタクトは、それぞれ、メッキにより形成されている請求項２〜５のいずれか一項に記載のコネクタ。
【請求項７】
前記一対の位置合わせ用凹部は、前記配列方向に変位可能なロック部を有し、前記一対の位置合わせ用凸部は、前記第１コネクタと前記第２コネクタの嵌合時に、前記ロック部が嵌り込むロック受け部を有する、あるいは、前記一対の位置合わせ用凸部は、前記配列方向に変位可能なロック部を有し、前記一対の位置合わせ用凹部は、前記第１コネクタと前記第２コネクタの嵌合時に、前記ロック部が嵌り込むロック受け部を有する請求項１〜６のいずれか一項に記載のコネクタ。
【発明の詳細な説明】
【技術分野】
【０００１】
この発明は、コネクタに係り、特に、第１コネクタと第２コネクタとを相対的に嵌合方向にスライドさせることにより嵌合するコネクタに関する。
【背景技術】
【０００２】
例えば、特許文献１には、図１３に示されるようなコネクタが開示されている。このコネクタは、一対の電子回路基板１Ａおよび１Ｂを互いに接続するもので、一方の電子回路基板１Ａに実装された第１コネクタ２Ａと、他方の電子回路基板１Ｂに実装された第２コネクタ２Ｂから構成されている。
第１コネクタ２Ａは、絶縁体からなるハウジング３Ａに複数の雌コンタクト４Ａと複数の雄コンタクト５Ａが配列方向Ｒに交互に配列された構造を有し、それぞれの雌コンタクト４Ａは、嵌合方向の全長がハウジング３Ａにより包み込まれており、それぞれの雄コンタクト５Ａは、先端部がハウジング３Ａから嵌合方向に突出するように保持されている。
【０００３】
同様に、第２コネクタ２Ｂは、絶縁体からなるハウジング３Ｂに複数の雌コンタクト４Ｂと複数の雄コンタクト５Ｂが配列方向Ｒに交互に配列された構造を有し、それぞれの雌コンタクト４Ｂは、嵌合方向の全長がハウジング３Ｂにより包み込まれており、それぞれの雄コンタクト５Ｂは、先端部がハウジング３Ｂから嵌合方向に突出するように保持されている。
電子回路基板１Ａおよび１Ｂを互いに接近させると、第１コネクタ２Ａの複数の雄コンタクト５Ａが第２コネクタ２Ｂの複数の雌コンタクト４Ｂに接触すると共に、第２コネクタ２Ｂの複数の雄コンタクト５Ｂが第１コネクタ２Ａの複数の雌コンタクト４Ａに接触し、第１コネクタ２Ａと第２コネクタ２Ｂが互いに接続状態となる。
【先行技術文献】
【特許文献】
【０００４】
【特許文献１】特開平４−３０８６７４号公報
【発明の概要】
【発明が解決しようとする課題】
【０００５】
しかしながら、第１コネクタ２Ａのハウジング３Ａは、それぞれの雌コンタクト４Ａを包み込むために、雌コンタクト４Ａと隣接する雄コンタクト５Ａとの間にハウジング３Ａを構成する絶縁体からなる絶縁体壁部６Ａが存在している。同様に、第２コネクタ２Ｂのハウジング３Ｂは、それぞれの雌コンタクト４Ｂを包み込むために、雌コンタクト４Ｂと隣接する雄コンタクト５Ｂとの間にハウジング３Ｂを構成する絶縁体からなる絶縁体壁部６Ｂが存在している。
【０００６】
このため、配列方向Ｒにおける雌コンタクト４Ａおよび４Ｂの幅をＤ１、絶縁体壁部６Ａおよび６Ｂの幅をＤ２、雄コンタクト５Ａおよび５Ｂの幅をＤ３としたとき、雌コンタクト４Ａと雄コンタクト５Ａの中心間距離または雌コンタクト４Ｂと雄コンタクト５Ｂの中心間距離で表される雌コンタクト４Ａおよび４Ｂと雄コンタクト５Ａおよび５Ｂの配列ピッチＰは、Ｄ１／２とＤ２とＤ３／２の和以上の値を有することとなる。すなわち、
Ｐ≧Ｄ１／２＋Ｄ２＋Ｄ３／２      （１）
となり、配列ピッチＰの縮小化が困難であった。
【０００７】
この発明は、このような従来の問題点を解消するためになされたもので、複数の雌コンタクトと複数の雄コンタクトを交互に配列しながらも狭ピッチ化を図ることができるコネクタを提供することを目的とする。
【課題を解決するための手段】
【０００８】
この発明に係るコネクタは、第１コネクタと、嵌合方向に沿って第１コネクタに嵌合する第２コネクタとを備え、第１コネクタは、嵌合方向に交差する配列方向に配列され且つそれぞれ嵌合方向に延びる複数の第１雌コンタクトと、配列方向に配列され且つそれぞれ嵌合方向に沿って複数の第１雌コンタクトよりも嵌合方向の前方にまで延びる複数の第１雄コンタクトとを有し、それぞれの第１雌コンタクトは、固定部と、固定部に接続されて嵌合方向の前方に延びるバネ接点部を有し、複数の第１雌コンタクトと複数の第１雄コンタクトは、交互に配列方向に配列され、互いに隣接する第１雌コンタクトの固定部と第１雄コンタクトの間に第１絶縁部が配置され、互いに隣接する第１雌コンタクトのバネ接点部と第１雄コンタクトの間に第１絶縁部は存在せず、第２コネクタは、配列方向に配列され且つそれぞれ嵌合方向に延びると共に嵌合時に第１コネクタの対応する第１雄コンタクトに接触する複数の第２雌コンタクトと、配列方向に配列され且つそれぞれ嵌合方向に沿って複数の第２雌コンタクトよりも嵌合方向の前方にまで延びると共に嵌合時に第１コネクタの対応する第１雌コンタクトに接触する複数の第２雄コンタクトとを有し、それぞれの第２雌コンタクトは、固定部と、固定部に接続されて嵌合方向の前方に延びるバネ接点部を有し、複数の第２雌コンタクトと複数の第２雄コンタクトは、交互に配列方向に配列され、互いに隣接する第２雌コンタクトの固定部と第２雄コンタクトの間に第２絶縁部が配置され、互いに隣接する第２雌コンタクトのバネ接点部と第２雄コンタクトの間に第２絶縁部は存在せず、第１コネクタおよび第２コネクタの一方は、配列方向の両端部にそれぞれ形成され且つ嵌合方向の前方に向かって開口する一対の位置合わせ用凹部を有し、第１コネクタおよび第２コネクタの他方は、配列方向の両端部にそれぞれ形成され且つ嵌合方向の前方に向かって突出する一対の位置合わせ用凸部を有し、第１コネクタと第２コネクタの嵌合時に、一対の位置合わせ用凸部が一対の位置合わせ用凹部に嵌り込むことで、複数の第１雌コンタクトと複数の第２雌コンタクトは、互いに嵌合方向に間隔を隔てて離れ、配列方向において、嵌合時の第１雌コンタクトのバネ接点部および第２雌コンタクトのバネ接点部の幅をＷ１、第１絶縁部および第２絶縁部の幅をＷ２、第１雄コンタクトおよび第２雄コンタクトの幅をＷ３としたとき、互いに隣接する第１雌コンタクトと第１雄コンタクトの中心間距離および互いに隣接する第２雌コンタクトと第２雄コンタクトの中心間距離が、Ｗ１／２とＷ２とＷ３／２の和よりも小さく且つＷ１／２とＷ３／２の和よりも大きいものである。
【０００９】
第１コネクタは、複数の第１雌コンタクトと複数の第１雄コンタクトが表面上に配置された第１絶縁体シートを有し、第１絶縁部は、互いに隣接する第１雌コンタクトと第１雄コンタクトの間に露出する部分の第１絶縁体シートからなり、第２コネクタは、複数の第２雌コンタクトと複数の第２雄コンタクトが表面上に配置された第２絶縁体シートを有し、第２絶縁部は、互いに隣接する第２雌コンタクトと第２雄コンタクトの間に露出する部分の第２絶縁体シートからなり、第１絶縁体シートの裏面と第２絶縁体シートの裏面が互いに外方を向くように第１コネクタと第２コネクタが位置した状態で嵌合方向に相対的にスライドさせることで嵌合するように構成することができる。
【００１０】
第１絶縁体シートの表面上における第１雄コンタクトの高さは第１雌コンタクトの高さよりも大きく、第２絶縁体シートの表面上における第２雄コンタクトの高さは第２雌コンタクトの高さよりも大きいことが好ましい。
また、複数の第１雌コンタクトおよび複数の第１雄コンタクトは、それぞれ、第１絶縁体シートの裏面側に露出する実装部を有し、複数の第２雌コンタクトおよび複数の第２雄コンタクトは、それぞれ、第２絶縁体シートの裏面側に露出する実装部を有することが好ましい。
好ましくは、一対の位置合わせ用凹部および一対の位置合わせ用凸部は、それぞれ、第１絶縁体シートまたは第２絶縁体シートに平行に張り出す張り出し部を有し、第１コネクタと第２コネクタの嵌合時に、位置合わせ用凹部の張り出し部と位置合わせ用凸部の張り出し部とが互いに重なり合う。
【００１１】
第１コネクタの複数の第１雌コンタクトおよび複数の第１雄コンタクトと第２コネクタの複数の第２雌コンタクトおよび複数の第２雄コンタクトは、それぞれ、メッキにより形成することができる。
一対の位置合わせ用凹部は、配列方向に変位可能なロック部を有し、一対の位置合わせ用凸部は、第１コネクタと第２コネクタの嵌合時に、ロック部が嵌り込むロック受け部を有する、あるいは、一対の位置合わせ用凸部は、配列方向に変位可能なロック部を有し、一対の位置合わせ用凹部は、第１コネクタと第２コネクタの嵌合時に、ロック部が嵌り込むロック受け部を有することが好ましい。
【発明の効果】
【００１２】
この発明によれば、嵌合時の第１雌コンタクトおよび第２雌コンタクトの幅をＷ１、第１絶縁部および第２絶縁部の幅をＷ２、第１雄コンタクトおよび第２雄コンタクトの幅をＷ３としたとき、互いに隣接する第１雌コンタクトと第１雄コンタクトの中心間距離および互いに隣接する第２雌コンタクトと第２雄コンタクトの中心間距離が、Ｗ１／２とＷ２とＷ３／２の和よりも小さいので、複数の雌コンタクトと複数の雄コンタクトを交互に配列しながらも狭ピッチ化を図ることが可能となる。
【図面の簡単な説明】
【００１３】
【図１】この発明の実施の形態に係るコネクタにおける嵌合前の第１コネクタと第２コネクタを示す斜視図である。
【図２】実施の形態に用いられた第１コネクタを示し、（Ａ）は斜め上方から見た斜視図、（Ｂ）は斜め下方から見た斜視図、（Ｃ）は平面図、（Ｄ）は底面図、（Ｅ）は正面図である。
【図３】第１コネクタの第１バネ接点および第１突起を示す部分平面図である。
【図４】第１コネクタの第１バネ接点および第１突起を示す部分正面図である。
【図５】第１コネクタの位置合わせ用凸部を示す部分正面図である。
【図６】実施の形態に用いられた第２コネクタを示し、（Ａ）は斜め上方から見た斜視図、（Ｂ）は斜め下方から見た斜視図、（Ｃ）は平面図、（Ｄ）は底面図、（Ｅ）は正面図である。
【図７】第２コネクタの第２バネ接点および第２突起を示す部分平面図である。
【図８】第２コネクタの第２バネ接点および第２突起を示す部分正面図である。
【図９】嵌合状態の第１コネクタと第２コネクタを示す斜視図である。
【図１０】嵌合状態の第１コネクタと第２コネクタを示す平面図である。
【図１１】嵌合時の第１コネクタの第１バネ接点および第１突起と第２コネクタの第２バネ接点および第２突起を示す平面図である。
【図１２】図１１のＸＩＩ−ＸＩＩ線断面図である。
【図１３】従来のコネクタの構造を示す断面図である。
【発明を実施するための形態】
【００１４】
以下、この発明の実施の形態を添付図面に基づいて説明する。
図１に、この発明の実施の形態に係るコネクタの構成を示す。コネクタは、平板形状の第１コネクタ１１と平板形状の第２コネクタ３１とを備えており、これら第１コネクタ１１および第２コネクタ３１を互いに嵌合軸Ｃに沿った嵌合方向にスライドすることで嵌合が行われる。図１では、第１コネクタ１１および第２コネクタ３１が互いに平行で間隔を隔てて配置された嵌合前の状態が示されている。
【００１５】
第１コネクタ１１は、嵌合軸Ｃに対して直交する方向に延びる第１コネクタ本体１２と、第１コネクタ本体１２に保持され且つ嵌合軸Ｃに対して直交する方向に交互に配列された複数の第１雌コンタクト１３および複数の第１雄コンタクト１４を有している。一方、第２コネクタ３１は、嵌合軸Ｃに対して直交する方向に延びる第２コネクタ本体３２と、第２コネクタ本体３２に保持され且つ嵌合軸Ｃに対して直交する方向に交互に配列された複数の第２雌コンタクト３３および複数の第２雄コンタクト３４を有している。
【００１６】
第１コネクタ本体１２の両端部には、嵌合軸Ｃに沿うと共に第２コネクタ３１に向かって突出する一対の位置合わせ用凸部１５が形成され、プラグ本体３２の両端部には、嵌合軸Ｃに沿うと共にレセプタクル１１に向かって開口する一対の位置合わせ用凹部３５が形成されている。
位置合わせ用凸部１５と位置合わせ用凹部３５は、互いに対応する形状を有しており、一対の位置合わせ用凸部１５が一対の位置合わせ用凹部３５に嵌り込むことにより、嵌合時における第１コネクタ１１と第２コネクタ３１の位置合わせが行われる。
【００１７】
ここで、便宜上、平板形状の第１コネクタ１１および第２コネクタ３１が延びる平面をＸＹ面、複数の第１雌コンタクト１３および複数の第１雄コンタクト１４と複数の第２雌コンタクト３３および複数の第２雄コンタクト３４の配列方向をＸ方向、嵌合軸Ｃに沿って第２コネクタ３１から第１コネクタ１１に向かう方向を＋Ｙ方向、ＸＹ面に垂直な方向をＺ方向と呼ぶことにする。
第１コネクタ１１にとっては、−Ｙ方向が第２コネクタ３１と嵌合する嵌合方向の前方にあたり、第２コネクタ３１にとっては、＋Ｙ方向が第１コネクタ１１と嵌合する嵌合方向の前方にあたることとなる。
【００１８】
第１コネクタ１１の構成を図２（Ａ）〜（Ｅ）に示す。第１コネクタ１１は、図２（Ｅ）に示されるように、第１絶縁体シート１６と、第１絶縁体シート１６の＋Ｚ方向側の表面上に配置された第１導電層１７とが積層された、２層構造を有している。
第１導電層１７は、第１コネクタ本体１２のＸ方向に沿って延びる連結部１８と、複数の第１雌コンタクト１３および複数の第１雄コンタクト１４を有しており、連結部１８と第１絶縁体シート１６により第１コネクタ本体１２が形成されている。複数の第１雌コンタクト１３および複数の第１雄コンタクト１４は、互いに絶縁されると共に連結部１８からも絶縁されている。複数の第１雄コンタクト１４は、複数の第１雌コンタクト１３よりも嵌合方向の前方、すなわち−Ｙ方向に延びており、一対の位置合わせ用凸部１５は、複数の第１雄コンタクト１４よりもさらに−Ｙ方向に延びている。
【００１９】
第１絶縁体シート１６には、複数の第１雌コンタクト１３に対応した複数の貫通孔１９と、複数の第１雄コンタクト１４に対応した複数の貫通孔２０と、連結部１８に対応した一対の貫通孔２１が形成されている。複数の第１雌コンタクト１３は、複数の貫通孔１９を通して−Ｚ方向側に露出する複数の実装部２２を有し、複数の第１雄コンタクト１４は、複数の貫通孔２０を通して−Ｚ方向側に露出する複数の実装部２３を有し、連結部１８は、一対の貫通孔２１を通して−Ｚ方向側に露出する一対の実装部２４を有している。これらの実装部２２〜２４は、第１コネクタ１１が搭載される基板等の図示しない第１接続対象物の配線パッドに接続されるものである。
【００２０】
また、第１コネクタ本体１２のＸ方向両端部に形成されている位置合わせ用凸部１５は、嵌合方向の前方すなわち−Ｙ方向に向かって先細りとなるテーパ形状を有すると共に、複数の第１雌コンタクト１３および複数の第１雄コンタクト１４とは反対側のＸ方向の端部に凹状のロック受け部２５を有している。
【００２１】
図３に示されるように、第１雌コンタクト１３は、第１絶縁体シート１６の表面上に固定される矩形状の固定部１３Ａと、固定部１３Ａに接続されて−Ｙ方向に延びると共にＵ字状に二股に分かれたバネ接点部１３Ｂを有している。バネ接点部１３Ｂの＋Ｚ方向側にも−Ｚ方向側にも、第１絶縁体シート１６は存在していない。バネ接点部１３Ｂは、固定部１３Ａよりも＋Ｘ方向および−Ｘ方向に張り出しており、固定部１３ＡよりＸ方向に幅広く形成されている。
【００２２】
一方、第１雄コンタクト１４は、Ｘ方向に均等な幅を有しており、Ｙ方向の全長にわたって第１絶縁体シート１６の表面上に固定されている。
また、互いに隣接する第１雌コンタクト１３の固定部１３Ａと第１雄コンタクト１４の間には、第１絶縁体シート１６の表面が露出することで形成される第１絶縁部２６が配置されている。
【００２３】
ここで、第１雌コンタクト１３のバネ接点部１３Ｂが固定部１３ＡよりＸ方向に幅広く形成されているため、複数の第１雌コンタクト１３および複数の第１雄コンタクト１４の配列方向であるＸ方向において、第１雌コンタクト１３の幅（バネ接点部１３Ｂの幅）をＷ１、第１絶縁部２６の幅をＷ２、第１雄コンタクト１４の幅をＷ３としたとき、互いに隣接する第１雌コンタクト１３と第１雄コンタクト１４の中心間距離で表される第１雌コンタクト１３と第１雄コンタクト１４の配列ピッチＰは、Ｗ１／２とＷ２とＷ３／２の和よりも小さい値となる。すなわち、
Ｐ＜Ｗ１／２＋Ｗ２＋Ｗ３／２      （２）
となる。
【００２４】
この式（２）が成り立つのは、第１絶縁部２６が、第１雌コンタクト１３のバネ接点部１３Ｂと第１雄コンタクト１４の間に形成された絶縁体壁部からなるのではなく、第１雌コンタクト１３の固定部１３Ａと第１雄コンタクト１４の間に配置されているためであり、これにより、第１コネクタ１１の狭ピッチ化を図ることが可能となる。
なお、第１コネクタ１１と第２コネクタ３１が嵌合して、第１雌コンタクト１３のバネ接点部１３ＢがＸ方向に変位したときに、非嵌合時に比べて第１雌コンタクト１３の幅が大きくなる場合には、嵌合時における第１雌コンタクト１３の幅をＷ１とすればよい。
【００２５】
また、図４に示されるように、第１絶縁体シート１６の表面上における第１雄コンタクト１４の高さＨ２は第１雌コンタクト１３の高さＨ１よりも大きい値に設定されている。このように、第１雌コンタクト１３よりも高く且つ第１雌コンタクト１３よりも−Ｙ方向に延びる第１雄コンタクト１４が第１雌コンタクト１３のＸ方向の両側に位置することで、バネ接点部１３Ｂを有する第１雌コンタクト１３が保護されている。
さらに、図５に示されるように、位置合わせ用凸部１５には、第１絶縁体シート１６と平行にＸＹ面内で張り出す張り出し部２７が形成されている。
【００２６】
このような構成の第１コネクタ１１は、貫通孔１９〜２１が予め形成された第１絶縁体シート１６の表面上にメッキを施して第１導電層１７を形成することで、作製することができる。
なお、メッキの代わりにエッチングを行うことによっても第１導電層１７を形成することができる。
【００２７】
次に、第２コネクタ３１の構成を図６（Ａ）〜（Ｅ）に示す。第２コネクタ３１は、一対の位置合わせ用凸部１５の代わりに一対の位置合わせ用凹部３５を有する他は、第１コネクタ１１と同様の構成を有している。すなわち、第２コネクタ３１は、図６（Ｅ）に示されるように、第２絶縁体シート３６と、第２絶縁体シート３６の−Ｚ方向側の表面上に配置された第２導電層３７とが積層された、２層構造を有している。
第２導電層３７は、第２コネクタ本体３２のＸ方向に沿って延びる連結部３８と、複数の第２雌コンタクト３３および複数の第２雄コンタクト３４を有しており、連結部３８と第２絶縁体シート３６により第２コネクタ本体３２が形成されている。複数の第２雌コンタクト３３および複数の第２雄コンタクト３４は、互いに絶縁されると共に連結部３８からも絶縁されている。複数の第２雄コンタクト３４は、複数の第２雌コンタクト３３よりも嵌合方向の前方、すなわち＋Ｙ方向に延びている。
【００２８】
第２絶縁体シート３６には、複数の第２雌コンタクト３３に対応した複数の貫通孔３９と、複数の第２雄コンタクト３４に対応した複数の貫通孔４０と、連結部３８に対応した一対の貫通孔４１が形成されている。複数の第２雌コンタクト３３は、複数の貫通孔３９を通して＋Ｚ方向側に露出する複数の実装部４２を有し、複数の第２雄コンタクト３４は、複数の貫通孔４０を通して＋Ｚ方向側に露出する複数の実装部４３を有し、連結部３８は、一対の貫通孔４１を通して＋Ｚ方向側に露出する一対の実装部４４を有している。これらの実装部４２〜４４は、第２コネクタ３１が搭載される基板等の図示しない第２接続対象物の配線パッドに接続されるものである。
また、第２コネクタ本体３２には、一対の位置合わせ用凹部３５内にそれぞれ配置され且つＸ方向に変位可能なロック部４５が形成されている。
【００２９】
図７に示されるように、第２雌コンタクト３３は、第２絶縁体シート３６の表面上に固定される矩形状の固定部３３Ａと、固定部３３Ａに接続されて＋Ｙ方向に延びると共にＵ字状に二股に分かれたバネ接点部３３Ｂを有している。バネ接点部３３Ｂの＋Ｚ方向側にも−Ｚ方向側にも、第２絶縁体シート３６は存在していない。バネ接点部３３Ｂは、固定部３３Ａよりも＋Ｘ方向および−Ｘ方向に張り出しており、固定部３３ＡよりＸ方向に幅広く形成されている。
【００３０】
一方、第２雄コンタクト３４は、Ｘ方向に均等な幅を有しており、Ｙ方向の全長にわたって第２絶縁体シート３６の表面上に固定されている。
また、互いに隣接する第２雌コンタクト３３の固定部３３Ａと第２雄コンタクト３４の間には、第２絶縁体シート３６の表面が露出することで形成される第２絶縁部４６が配置されている。
【００３１】
第２コネクタ３１の第２雌コンタクト３３、第２雄コンタクト３４および第２絶縁部４６は、それぞれ、第１コネクタ１１の第１雌コンタクト１３、第１雄コンタクト１４および第１絶縁部２６と同一の形状および大きさを有し、互いに隣接する第２雌コンタクト３３と第２雄コンタクト３４の中心間距離で表される第２雌コンタクト３３と第２雄コンタクト３４の配列ピッチも、第１コネクタ１１における第１雌コンタクト１３と第１雄コンタクト１４の配列ピッチＰに等しい値を有している。
【００３２】
したがって、図７に示されるように、Ｘ方向において、第２雌コンタクト３３は幅Ｗ１、第２絶縁部４６は幅Ｗ２、第２雄コンタクト３４は幅Ｗ３を有し、その結果、互いに隣接する第２雌コンタクト３３と第２雄コンタクト３４の中心間距離で表される第２雌コンタクト３３と第２雄コンタクト３４の配列ピッチＰは、Ｗ１／２とＷ２とＷ３／２の和よりも小さい値となる。すなわち、第２コネクタ３１においても、上記の式（２）が成り立つ。
これは、第２絶縁部４６が、第２雌コンタクト３３のバネ接点部３３Ｂと第２雄コンタクト３４の間に形成された絶縁体壁部からなるのではなく、第２雌コンタクト３３の固定部３３Ａと第２雄コンタクト３４の間に配置されているためであり、これにより、第２コネクタ３１の狭ピッチ化を図ることが可能となる。
なお、第１コネクタ１１と第２コネクタ３１が嵌合して、第２雌コンタクト３３のバネ接点部３３ＢがＸ方向に変位したときに、非嵌合時に比べて第２雌コンタクト３３の幅が大きくなる場合には、嵌合時における第２雌コンタクト３３の幅をＷ１とすればよい。
【００３３】
また、図８に示されるように、第２絶縁体シート３６の表面上における第２雄コンタクト３４の高さＨ２は第２雌コンタクト３３の高さＨ１よりも大きい値に設定されており、第２雌コンタクト３３よりも高く且つ第２雌コンタクト３３よりも＋Ｙ方向に延びる第２雄コンタクト３４が第２雌コンタクト３３のＸ方向の両側に位置することで、バネ接点部３３Ｂを有する第２雌コンタクト３３が保護されている。
【００３４】
このような構成の第２コネクタ３１は、貫通孔３９〜４１が予め形成された第２絶縁体シート３６の表面上にメッキを施して第２導電層３７を形成することで、作製することができる。
なお、メッキの代わりにエッチングを行うことによっても第２導電層３７を形成することができる。
【００３５】
第１コネクタ１１と第２コネクタ３１を嵌合させる際には、まず、図１に示されるように、第１コネクタ１１の第１絶縁体シート１６が−Ｚ方向を向き、第２コネクタ３１の第２絶縁体シート３６が＋Ｚ方向を向くと共に、第１コネクタ１１の複数の第１雌コンタクト１３および複数の第１雄コンタクト１４と第２コネクタ３１の複数の第２雌コンタクト３３および複数の第２雄コンタクト３４とが互いにほぼ同じＺ方向の位置となるように、第１コネクタ１１と第２コネクタ３１をＹ方向に対向させる。
この状態で、第２コネクタ３１に対して第１コネクタ１１を相対的に−Ｙ方向にスライドさせて、図９および１０に示されるように、第２コネクタ３１の一対の位置合わせ用凹部３５に第１コネクタ１１の一対の位置合わせ用凸部１５を嵌め込むことにより、第１コネクタ１１と第２コネクタ３１が互いに嵌合される。
【００３６】
このとき、第１コネクタ１１の位置合わせ用凸部１５は、嵌合方向の前方すなわち−Ｙ方向に向かって先細りとなるテーパ形状を有しているため、第１コネクタ１１と第２コネクタ３１とがＸＹ面上でわずかに位置ずれを生じている状態で、第１コネクタ１１に対する第２コネクタ３１の相対的なスライド動作を行っても、第１コネクタ１１と第２コネクタ３１を正確に嵌合させることができる。
また、第２コネクタ３１の一対の位置合わせ用凹部３５に第１コネクタ１１の一対の位置合わせ用凸部１５が嵌まり込むことで、図１１に示されるように、第１コネクタ１１の第１雌コンタクト１３の先端と第２コネクタ３１の第２雌コンタクト３３の先端とが、互いに嵌合方向であるＹ方向に間隔Ｇを隔てて離れた位置に配置される。
【００３７】
そして、第１コネクタ１１の第１雌コンタクト１３のバネ接点部１３ＢがＸ方向に変位して第２コネクタ３１の第２雄コンタクト３４を両側から挟み込み、第１雌コンタクト１３と第２雄コンタクト３４とが互いに電気的に接続される。同時に、第２コネクタ３１の第２コンタクト３３のバネ接点部３３ＢがＸ方向に変位して第１コネクタ１１の第１雄コンタクト１４を両側から挟み込み、第２雌コンタクト３３と第１雄コンタクト１４とが互いに電気的に接続される。
このとき、第１コネクタ１１の第１雌コンタクト１３のバネ接点部１３Ｂと第２コネクタ３１の第２雌コンタクト３３のバネ接点部３３Ｂとが、互いにＹ方向に間隔Ｇを隔てて離れているため、互いに干渉することなく、Ｘ方向に変位することができる。
【００３８】
また、上述したように、互いに隣接する第１雌コンタクト１３と第１雄コンタクト１４の中心間距離および互いに隣接する第２雌コンタクト３３と第２雄コンタクト３４の中心間距離が、上記の式（２）を満たして、第１雌コンタクト１３および第２雌コンタクト３３の幅Ｗ１の１／２の値Ｗ１／２と、第１絶縁部２６および第２絶縁部４６の幅Ｗ２と、第１雄コンタクト１４および第２雄コンタクト３４の幅Ｗ３の１／２の値Ｗ３／２の和よりも小さい値となっているので、複数の第１雌コンタクト１３と複数の第１雄コンタクト１４並びに複数の第２雌コンタクト３３と複数の第２雄コンタクト３４を交互に配列しながらも狭ピッチ化を達成することが可能となる。
【００３９】
図１２に示されるように、第１コネクタ１１を第１接続対象物Ｓ１に搭載すると共に複数の実装部２２〜２４を第１接続対象物Ｓ１の対応する配線パッドに接続し、第２コネクタ３１を第２接続対象物Ｓ２に搭載すると共に複数の実装部４２〜４４を第２接続対象物Ｓ２の対応する配線パッドに接続し、第１コネクタ１１と第２コネクタ３１を互いに嵌合させることで、第１接続対象物Ｓ１と第２接続対象物Ｓ２の間の電気的接続を行うことができる。
【００４０】
なお、第１コネクタ１１の位置合わせ用凸部１５が第２コネクタ３１の位置合わせ用凹部３５に嵌め込まれたときに、第１コネクタ１１の位置合わせ用凸部１５に形成されている張り出し部２７が、第２コネクタ３１の位置合わせ用凹部３５に形成されている張り出し部４７に対して＋Ｚ方向側に重なり、これにより、嵌合状態にある第１コネクタ１１と第２コネクタ３１がＺ方向に外れることが防止される。
さらに、第１コネクタ１１の一対の位置合わせ用凸部１５が第２コネクタ３１の位置合わせ用凹部３５に嵌め込まれると、第２コネクタ３１の位置合わせ用凹部３５に形成されているロック部４５が、第１コネクタ１１の一対の位置合わせ用凸部１５のＸ方向の端部に形成されている凹状のロック受け部２５に嵌り込み、嵌合状態にある第１コネクタ１１と第２コネクタ３１がＹ方向に外れることが防止される。
【００４１】
このため、第１コネクタ１１と第２コネクタ３１の嵌合状態が維持され、複数の第１雌コンタクト１３と複数の第２雄コンタクト３４の間並びに複数の第２雌コンタクト３３と複数の第１雄コンタクト１４の間に信頼性のある電気導通状態が確立されることとなる。
【００４２】
上記の実施の形態では、第１コネクタ１１の第１雌コンタクト１３、第１雄コンタクト１４および第１絶縁部２６と、第２コネクタ３１の第２雌コンタクト３３、第２雄コンタクト３４および第２絶縁部４６とが、同一の形状および大きさを有しているが、第１コネクタ１１と第２コネクタ２１が嵌合して、第１雌コンタクト１３と第２雄コンタクト３４が互いに電気導通すると共に第２雌コンタクト３３と第１雄コンタクト１４が互いに電気導通すればよく、必ずしも同一の形状および大きさを有する必要はない。
第１コネクタ１１の第１雌コンタクト１３、第１雄コンタクト１４および第１絶縁部２６が上記の式（２）を満たすと共に、第２コネクタ３１の第２雌コンタクト３３、第２雄コンタクト３４および第２絶縁部４６が上記の式（２）を満たしていれば、狭ピッチ化を図ることが可能となる。
【００４３】
上記の実施の形態では、第１コネクタ１１および第２コネクタ３１がそれぞれ平板形状を有しているが、これに限るものではなく、第１コネクタ１１および第２コネクタ３１が平板以外の形状を有していてもよい。
【符号の説明】
【００４４】
１Ａ，１Ｂ  電子回路基板、２Ａ  第１コネクタ、２Ｂ  第２コネクタ、３Ａ，３Ｂ  ハウジング、４Ａ，４Ｂ  雌コンタクト、５Ａ，５Ｂ  雄コンタクト、６Ａ，６Ｂ  絶縁体壁部、１１  第１コネクタ、１２  第１コネクタ本体、１３  第１雌コンタクト、１３Ａ，３３Ａ  固定部、１３Ｂ，３３Ｂ  バネ接点部、１４  第１雄コンタクト、１５  位置合わせ用凸部、１６  第１絶縁体シート、１７  第１導電層、１８、３８  連結部、１９，２０，２１，３９，４０，４１  貫通孔、２２，２３，２４，４２，４３，４４  実装部、２５  ロック受け部、２６  第１絶縁部、２７，４７  張り出し部、３１  第２コネクタ、３２  第２コネクタ本体、３３  第２雌コンタクト、３４  第２雄コンタクト、３５  位置合わせ用凹部、３６  第２絶縁体シート、３７  第２導電層、４５  ロック部、４６  第２絶縁部、Ｒ  配列方向、Ｄ１，Ｄ２，Ｄ３  幅、Ｐ  配列ピッチ、Ｃ  嵌合軸、Ｗ１  第１雌コンタクトおよび第２雌コンタクトの幅、Ｗ２  第１絶縁部および第２絶縁部の幅、Ｗ３  第１雄コンタクトおよび第２雄コンタクトの幅、Ｈ１  第１雌コンタクトおよび第２雌コンタクトの高さ、Ｈ２  第１雄コンタクトおよび第２雄コンタクトの高さ、Ｇ  間隔、Ｓ１  第１接続対象物、Ｓ２  第２接続対象物。
【図１】
0006466266.tif 000002
【図２】
0006466266.tif 000003
【図３】
0006466266.tif 000004
【図４】
0006466266.tif 000005
【図５】
0006466266.tif 000006
【図６】
0006466266.tif 000007
【図７】
0006466266.tif 000008
【図８】
0006466266.tif 000009
【図９】
0006466266.tif 000010
【図１０】
0006466266.tif 000011
【図１１】
0006466266.tif 000012
【図１２】
0006466266.tif 000013
【図１３】
0006466266.tif 000014